(57)【要約】      （修正有）【課題】格納式コネクタ機構を備えると共に、コネクタ全体の設置スペースが少なく抑えられる直立型コネクタを提供する。【解決手段】直立型コネクタ１は、複数の端子保持溝１２１が間隔的に形成されてある絶縁本体１２と、絶縁本体の上に設置されており、挿入口１１０を有するスロットを形成してなる金属ハウジング１１と、複数の端子保持溝に挿入される複数の端子を備える端子ユニット１３と、を含む。各端子は、絶縁本体の底面に設けられるための設置部と、設置部の末端から挿入口へ曲折延伸してなる延伸部と、延伸部の末端から延伸してなる連接部と、を有する。【選択図】図１
0003174147.tif 000002
【実用新案登録請求の範囲】
【請求項１】
複数の端子保持溝が間隔的に形成されてある絶縁本体と、
前記絶縁本体の上に設置されており、挿入口を有するスロットを形成してなる金属ハウジングと、
前記複数の端子保持溝に挿入される複数の端子を備える端子ユニットと、
を含み、
前記各端子は、前記絶縁本体の底面に設けられるための設置部と、前記設置部の末端から前記挿入口へ曲折延伸してなる延伸部と、前記延伸部の末端から延伸してなる連接部と、を有することを特徴とする直立型コネクタ。
【請求項２】
前記連接部は半田付け部又は挿入部として機能することを特徴とする請求項１に記載の直立型コネクタ。
【請求項３】
前記金属ハウジングは、対向する二つの第１の側板と対向する二つの第２の側板を有することを特徴とする請求項１又は２に記載の直立型コネクタ。
【請求項４】
前記二つの第１の側板のそれぞれには、曲折形成してなるストッパー部を少なくとも一つ有しており、
前記連接部の位置は前記ストッパー部の位置に対応することを特徴とする請求項３に記載の直立型コネクタ。
【請求項５】
前記二つの第２の側板には曲折形成してなる固定部を有することを特徴とする請求項３に記載の直立型コネクタ。
【請求項６】
前記固定部は、前記第２の側板から曲折延伸してなるホルダー部と、前記ホルダー部から延伸してなる挿入部と、を有することを特徴とする請求項５に記載の直立型コネクタ。
【請求項７】
直立型コネクタと回路基板を含み、
前記直立型コネクタは、
複数の端子保持溝が間隔的に設けられてある絶縁本体と、
前記絶縁本体の上に設置されており、挿入口を有するスロットを形成してなる金属ハウジングと、
前記複数の端子保持溝に挿入される複数の端子を備える端子ユニットと、
を含み、
前記各端子は、
前記絶縁本体の底面に設けられるための設置部と、
前記設置部の末端から前記挿入口へ曲折延伸してなる延伸部と、
前記延伸部の末端から延伸してなる連接部と、
を有し、
前記回路基板には前記直立型コネクタに対応する収容開口部を有し、
前記直立型コネクタは、前記収容開口部に挿設され、
前記連接部は、前記回路基板に固定されることを特徴とする直立型コネクタの取付構造。
【請求項８】
前記連接部が半田付け部として機能すると共に前記回路基板には半田付け部として機能する前記連接部に対応する導電構造が形成されてあるように構成する若しくは、
前記連接部が挿入部として機能すると共に前記回路基板には挿入部として機能する前記連接部に対応する連接孔が形成されてあるように構成することを特徴とする請求項７に記載の直立型コネクタの取付構造。
【請求項９】
前記金属ハウジングは対向する二つの第１の側板と対向する二つの第２の側板を有することを特徴とする請求項７又は８に記載の直立型コネクタの取付構造。
【請求項１０】
前記二つの第１の側板のそれぞれには、曲折形成してなるストッパー部を少なくとも一つ有しており、
前記連接部の位置は前記ストッパー部の位置に対応することを特徴とする請求項９に記載の直立型コネクタの取付構造。
【請求項１１】
前記二つの第２の側板には曲折形成してなる固定部を有することを特徴とする請求項に記載９の直立型コネクタの取付構造。
【請求項１２】
前記固定部は、前記第２の側板から曲折延伸してなるホルダー部と、前記ホルダー部から延伸してなる挿入部と、を有し、
前記回路基板には、前記挿入部に対応する取付孔を有することを特徴とする請求項１１に記載の直立型コネクタの取付構造。
【考案の詳細な説明】
【技術分野】
【０００１】
本考案は、コネクタ及びその取付構造に関し、特に直立型コネクタ及びその取付構造に関するものである。
【背景技術】
【０００２】
電子通信の発展に伴い、コネクタはデータ通信に使用される応用価値が高くなると共に需要量も大幅に増加している。そこで、製造プロセスや構造の設計を問わず、如何にして品質を高めると共に、コネクタと回路基板をより好ましい配置で組み合わせることによって各種のコネクタを搭載するコンピューターや電子機器の実用性を向上するためのコネクタを提供するかが課題となる。特に、市場のニーズに応じて小型薄型化が進められている電子機器に適用することは、技術課題として益々注目されてきている。
【考案の概要】
【考案が解決しようとする課題】
【０００３】
回路基板に直立的に設置されるコネクタは電気コネクタの分野に広く用いられている。従来の直立型コネクタは主に、絶縁本体と、絶縁本体に収容固定される複数の導電端子と、を含む。導電端子の半田付け部は、絶縁本体に突出して露出すると共に、絶縁本体の底部にある。そこで、コネクタが回路基板に固定設置されると、コネクタが回路基板から突出してしまうため、全体の長さが長くなってしまう。また、従来の直立型コネクタを電子装置の内部に組み立てる場合、直立型コネクタを収容するために、電子装置の内部の収容空間を大きくする必要があるため、電子装置の小型薄型化の開発に不適になる。言い換えれば、従来の直立型コネクタは回路基板での設置スペースを大きくとるため、回路基板のレイアウトやデザインに悪影響を与える恐れがある。例えば、従来の直立型コネクタは、他の部品を回路基板に設置するためのスペースを占めるため、回路基板全体のレイアウトやデザインに影響をもたらす。そうなると、回路基板のサイズを大きくする必要があるため、携帯式電子機器の小型薄型化構造の発展を妨げると共に、携帯式電子機器の携帯利便性に悪影響を及ぼすようになってしまう。
【課題を解決するための手段】
【０００４】
本考案の出願人は、従来のコネクタ構造の欠点を鑑みて、長年に渡ってこの方面の関連経験を積み、鋭意検討を行なった結果、合理的な設計で且つ上記の欠点を有効に改善する本考案を完成するに至った。
【０００５】
本考案の目的は、格納式コネクタ機構を備えると共に、コネクタ全体の設置スペースが少なく抑えられる直立型コネクタを提供することにある。
【０００６】
本考案に係る直立型コネクタは、複数の端子保持溝が間隔的に形成されてある絶縁本体と、前記絶縁本体の上に設置されており、挿入口を有するスロットを形成してなる金属ハウジングと、前記複数の端子保持溝に挿入される複数の端子を備える端子ユニットと、を含む。前記各端子は、前記絶縁本体の底面に設けられるための設置部と、前記設置部の末端から前記挿入口へ曲折延伸してなる延伸部と、前記延伸部の末端から延伸してなる連接部と、を有する。
【０００７】
本考案に係る直立型コネクタの取付構造は、直立型コネクタと、回路基板と、を含む。前記直立型コネクタは、複数の端子保持溝が間隔的に設けられてある絶縁本体と、前記絶縁本体の上に設置されており、挿入口を有するスロットを形成してなる金属ハウジングと、前記複数の端子保持溝に挿入される複数の端子を備える端子ユニットと、を含む。前記各端子は、前記絶縁本体の底面に設けられるための設置部と、前記設置部の末端から前記挿入口へ曲折延伸してなる延伸部と、前記延伸部の末端から延伸してなる連接部と、を有する。前記回路基板には前記直立型コネクタに対応する収容開口部を有する。前記直立型コネクタは、前記収容開口部に挿設される。前記連接部は、前記回路基板に固定される。
【考案の効果】
【０００８】
本考案によれば、各端子の連接部が直立型コネクタの側面位置までに延伸されるため、回路基板における収容開口部によって直立型コネクタを回路基板に挿設させると共に、端子の連接部を回路基板に固定させることによって直立型コネクタが回路基板から突出する長さを短くすることができ、ひいてはコネクタ全体の長さを短くすることができる。
【図面の簡単な説明】
【０００９】
【図１】本考案の第１の実施例の分解図を示す。
【図１Ａ】本考案の第１の実施例の取り付け図を示す。
【図２】本考案の第１の実施例の他の角度の分解図を示す。
【図２Ａ】本考案の第１の実施例の他の角度の取り付け図を示す。
【図３】本考案の第１の実施例の下方から見た立体図を示す。
【図４】本考案の第１の実施例の前面図を示す。
【図５】本考案の第１の実施例の側面図を示す。
【図６】本考案の第２の実施例の分解図を示す。
【図６Ａ】本考案の第２の実施例の取り付け図を示す。
【考案を実施するための形態】
【００１０】
以下、本明細書と図面に開示された本考案の実施形態は、本考案の技術内容をより分かりやすく説明し、本考案の理解を助けるために実施例を挙げたことに過ぎず、本考案の範囲を限定するものではない。ここに開示された実施形態以外にも、本考案の技術的思想に基づく他の変形例も実施可能であることは、本考案の属する技術分野における通常の知識を有する者に自明なことである。
【実施例】
【００１１】
本考案に係る直立型コネクタ及びその取付構造は、コネクタを回路基板に挿入する（いわゆる、格納式コネクタ機構や基板挿入型コネクタ機構という）ことによって、直立型コネクタが回路基板から突出される長さを短くすることができるため、電子機器全体のサイズを短くすることができる。
【００１２】
図１と図１Ａは、本考案に係る直立型コネクタ及びその取付構造の分解図と取り付け図をそれぞれ示す。先ず、直立型電気コネクタ１を説明する。図１と図１Ａに示すように、直立型電気コネクタ１は、対応するコネクタを挿設させるための連接装置である。本実施例において、直立型電気コネクタ１は、ＵＳＢ伝送規約（もしくはＵＳＢ通信規約）に則ったコネクタであって、ＵＳＢ伝送規約（もしくはＵＳＢ通信規約）に則った雄コネクタ（例えば、プラグコネクタなど）（図示せず）を連接するためのものであるが、これに限定されるものではない。具体的に言えば、直立型電気コネクタ１は、金属ハウジング１１、絶縁本体１２及び端子ユニット１３を少なくとも含む。絶縁本体１２は主な構造体として形成される。金属ハウジング１１と端子ユニット１３は絶縁本体に取り付けられる。具体的に言えば、絶縁本体１２には複数の端子保持溝１２１が間隔的に形成され、端子ユニット１３の複数の端子１３１が複数の端子保持溝１２１にそれぞれ取り付けられる。金属ハウジング１１は絶縁本体１２の上に取り付けられる。例えば、金属プレートで囲まれてなる金属ハウジング１１は、絶縁本体１２の上に設けられる。また、金属ハウジング１１には挿入口１１０を有する。雄コネクタ（例えば、プラグコネクタなど）（図示せず）は、挿入口１１０を通して金属ハウジング１１の中に挿設されると共に端子ユニット１３に電気的に接続されることができる。
【００１３】
図３に示すように、各端子１３１は、絶縁本体１２の底面に設けられるための設置部１３１１と、設置部１３１１の末端から挿入口１１０へ曲折延伸してなる延伸部１３１２と、延伸部１３１２の末端から延伸してなる連接部１３１３と、を有する。具体的に言えば、各端子１３１は、複数の曲折部を有する金属であり、絶縁本体１２の底面から直立型電気コネクタ１の側面までに延伸される。これにより、直立型電気コネクタ１と回路基板２の連接位置は、従来の底面方向を側面方向に変更することができるため、直立型電気コネクタ１が回路基板２から突出する長さを短くすることができる。
【００１４】
また、より好ましい固定の態様を取得するために、直立型電気コネクタ１には支持構造や固定構造が更に設けられるようにしてもよい。また、図１と図２に示すように、金属ハウジング１１は、ほぼ矩形の筐体であり、対向する二つの第１の側板１１Ａと対向する二つの第２の側板１１Ｂを有する。第１の側板１１Ａには例えばプレス方式などの方式を使用して形成された少なくとも一つのストッパー部が設けられるようにしてもよい。図１に示すように、第１の側板１１Ａの一方には曲折延伸してなる第１のストッパー部１１１を有する。また、図２に示すように、第１の側板１１Ａには曲折延伸してなる第２のストッパー部１１２を有する。第１の側板１１Ａに形成された第１のストッパー部１１１と第２のストッパー部１１２の高さ（挿入口１１０に対応する位置）は、連接部１３１３の位置に対応することによって、回路基板２を支持する機能を有する。また、本考案において、ストッパー部（即ち、第１のストッパー部１１１と第２のストッパー部１１２）の数量は特に限定がない。
【００１５】
金属ハウジング１１の対向する二つの第２の側板１１Ｂには曲折形成してなる固定部をそれぞれ有する。これにより、直立型電気コネクタ１を回路基板２に安定に固定できるため、直立型電気コネクタ１を挿設する際の力による振動を防ぐことができる。具体的に言えば、固定部１１３は、第２の側板１１Ｂから曲折延伸してなるホルダー部１１３１と、ホルダー部１１３１から延伸してなる挿入部１１３２と、を有する。また、挿入部１１３２の幅がホルダー部１１３１の幅よりも小さいため、挿入部１１３２とホルダー部１１３１の間の段差は支持機能をも有する。これにより、直立型電気コネクタ１を回路基板２により安定に固定させることができる。
【００１６】
図１、図１Ａ、図２、図２Ａは、本考案の第１の実施例において直立型電気コネクタ１と回路基板２の分解図と取り付け図をそれぞれ示す。直立型電気的コネクタ１の構造は上記の説明のように構成される。また、各端子１３１の連接部１３１３は、半田付け部として機能する。より具体的に言えば、第１の実施例に係る直立型電気コネクタ１は、ＳＭＴ方式で回路基板２の上に設置される。言い換えれば、回路基板２の上には半田付け部として機能する連接部１３１３に対応する例えばパッドなどの導電構造（図示せず）が設けられる。これにより、半田付けなどの方式を使用して半田付け部として機能する連接部１３１３を導電構造に固着することができる。
【００１７】
また、図示に示すように、回路基板には直立型電気コネクタ１に対応する収容開口部２１を有する。直立型電気コネクタ１と回路基板２を組み立てる場合、直立型電気コネクタ１の一部（例えば金属ハウジング１１の一部）は、回路基板２の収容開口部２１を通過して各端子１３１の連接部１３１３を回路基板２に接触させる。また、上述したように、ストッパー部（即ち、第１のストッパー部１１１と第２のストッパー部１１２）と挿入口１１０の間の距離は連接部１３１３と挿入口１１０の間の距離と実質的に等しいため、連接部１３１３が回路基板２に接触すると同時に、ストッパー部（即ち、第１のストッパー部１１１と第２のストッパー部１１２）も回路基板２に接触する（図４と図５をご参照）。そこで、ＳＭＴ方式で連接部１３１３を回路基板２の導電構造に固着させると、ストッパー部（即ち、第１のストッパー部１１１と第２のストッパー部１１２）は支持機能を持つため、組立安定性を向上することができる。
【００１８】
一方、連接部１３１３が回路基板２に接触すると同時に、固定部１１３の挿入部１１３２は回路基板２の取付孔２２に挿設する。これにより、挿入部１１３２と取付孔２２の組み合わせによって位置付けや移動制限の効果を奏することができる。言い換えれば、直立型電気コネクタ１と回路基板２の間には相対的に左右移動する問題が生じ難い。また、上述したように、挿入部１１３２とホルダー部１１３１の間の段差も保持部として機能するため、直立型電気コネクタ１と回路基板２の組み合わせにはより好ましい構造強度を提供することができる。
【００１９】
図６と図６Ａは、本考案の第２の実施例において直立型電気コネクタ１と回路基板２の分解図と取り付け図をそれぞれ示す。第１の実施例との相違点は、本実施例において、各端子１３１はデュアルインラインパッケージ（ＤＩＰ、ｄｕａｌ ｉｎ―ｌｉｎｅ ｐａｃｋａｇｅ）の端子であることにある。言い換えれば、連接部１３１３’は挿入部として機能しており、回路基板２には挿入部として機能する連接部１３１３’に対応する連接孔２３を有する。これにより、直立型電気コネクタ１と回路基板２を組み合わせる場合、直立型電気コネクタ１の一部（例えば金属ハウジングの一部）は回路基板２の収容開口部２１を通過すると共に、各端子１３１の連接部１３１３’はそれぞれ対応する各連接孔２３を通過することによって、直立型電気コネクタ１を回路基板２に固定させる。また、第１の実施例と同じように、直立型電気コネクタ１には支持構造や固定構造が更に設けられるようにしてもよい。例えば、連接部１３１３’が回路基板２の連接孔に挿設された場合、金属ハウジング１１の第２の側板１１Ｂにある固定部１１３の挿入部１１３２も対応する回路基板２における取付孔２２に挿設される。これにより、挿入部１１３２と取付孔２２の組み合わせによって位置付けや移動制限の効果を奏することができる。
【００２０】
そこで、本考案によれば、各端子１３１の延伸長さを調整することによって端子１３１の連接部１３１３、１３１３’の位置を挿入口１１０により接近させることができるため、直立型電気コネクタ１を回路基板２に取り付ける場合、直立型電気コネクタ１の一部が回路基板２の他方側に設置されることができ、即ち直立型電気コネクタ１の両側が回路基板２の両側面にそれぞれ設置されることができるため、格納式コネクタ機構や基板挿入型コネクタ機構として機能することによって直立型コネクタの取付構造全体の長さを短くすることができる。
【００２１】
上述した実施例は、本考案の好ましい実施態様に過ぎず、本考案の実施の範囲を限定するものではなく、本考案の明細書及び図面内容に基づいてなされた均等な変更および付加は、いずれも本考案の特許請求の範囲内に含まれるものとする。
【符号の説明】
【００２２】
１  直立型電気コネクタ
１１  金属ハウジング
１１Ａ  第１の側板
１１Ｂ  第２の側板
１１０  挿入口
１１１  第１のストッパー部
１１２  第２のストッパー部
１１３  固定部
１１３１  ホルダー部
１１３２  挿入部
１２  絶縁本体
１２１  端子保持溝
１３  端子ユニット
１３１  端子
１３１１  設置部
１３１２  延伸部
１３１３、１３１３’  連接部
２  回路基板
２１  収容開口部
２２  取付孔
２３  連接孔
【図１】
0003174147.tif 000003
【図１Ａ】
0003174147.tif 000004
【図２】
0003174147.tif 000005
【図２Ａ】
0003174147.tif 000006
【図３】
0003174147.tif 000007
【図４】
0003174147.tif 000008
【図５】
0003174147.tif 000009
【図６】
0003174147.tif 000010
【図６Ａ】
0003174147.tif 000011
【手続補正書】
【提出日】平成23年12月28日(2011.12.28)
【手続補正１】
【補正対象書類名】実用新案登録請求の範囲
【補正対象項目名】請求項１１
【補正方法】変更
【補正の内容】
【請求項１１】
前記二つの第２の側板には曲折形成してなる固定部を有することを特徴とする請求項９に記載の直立型コネクタの取付構造。